(57)【要約】      （修正有）【課題】調節可能な幅を有し、収容空間を充分に利用できる組合せラックを提供する。【解決手段】組合せラック１０は、前部プレート１００、後部プレート２００、左側コンポーネント３００、右側コンポーネント４００及びキャリングコンポーネント５５０を備える。加えて、組合せラック１０は、２つの第１の接続アセンブリ６００及び２つの第２の接続アセンブリ７００をさらに備える。前部プレート１００、後部プレート２００、左側コンポーネント３００、右側コンポーネント４００及びキャリングコンポーネント５５０は、共に収容空間を形成する。前部プレート１００及び後部プレート２００は、夫々キャリングコンポーネント５５０の対向する２つの側部に配置される。左側コンポーネント３００及び右側コンポーネント４００は、夫々キャリングコンポーネント５５０の対向する２つの側部に配置される。【選択図】図１
0003194589.tif 000002
【実用新案登録請求の範囲】
【請求項１】
前部プレート、後部プレート、左側コンポーネント、右側コンポーネント及びキャリングコンポーネントを備える、２つのスライドレールを接続するための組合せラックであって、前記前部プレート、前記後部プレート、前記左側コンポーネント、前記右側コンポーネント及び前記キャリングコンポーネントは、共に収容空間を形成し、前記左側コンポーネント及び前記右側コンポーネントは、夫々スライド可能に前記２つのスライドレールに設置されるように構成され、前記キャリングコンポーネントは、キャリング部材、前部組合せコンポーネント及び後部組合せコンポーネントを備え、前記前部プレートの下縁は後部支持構造体を備え、及び前記キャリングコンポーネントの対向する２つの側部の前記前部組合せコンポーネント及び前記後部組合せコンポーネントは、夫々、前記前部支持構造体及び前記後部支持構造体に設置されることを特徴とする組合せラック。
【請求項２】
前記前部支持構造体及び前記後部支持構造体は溝であることを特徴とする請求項１に記載の組合せラック。
【請求項３】
前記前部支持構造体及び前記後部支持構造体はブロックであることを特徴とする請求項１に記載の組合せラック。
【請求項４】
前記前部支持構造体及び前記後部支持構造体はフックであることを特徴とする請求項１に記載の組合せラック。
【請求項５】
前記前部支持構造体及び前記後部支持構造体は支持シート構造体であることを特徴とする請求項１に記載の組合せラック。
【請求項６】
前記前部組合せコンポーネントの対向する２つの側部は、夫々第１の組合せ部及び第２の組合せ部を備え、前記前部プレートは前記第１の組合せ部に配置され、前記組合せコンポーネントの対向する２つの側部は、夫々第３の組合せ部及び第４の組合せ部を備え、前記後部プレートは前記第３の組合せ部に配置され、前記キャリング部材の対向する２つの側部は、夫々前記第２の組合せ部及び前記第４の組合せ部に設置されることを特徴とする請求項１に記載の組合せラック。
【請求項７】
前記第１の組合せ部及び前記第３の組合せ部は両方ともブロックであり、前記前部プレート及び前記後部プレートの下縁の各々は締結溝を備え、前記２つのブロックは、前記２つの締結溝に各々締結されることを特徴とする請求項６に記載の組合せラック。
【請求項８】
前記第１の組合せ部及び前記第３の組合せ部は夫々締結溝であり、前記前部プレート及び前記後部プレートの下縁は夫々ブロックを備え、前記２つのブロックは前記２つの締結溝に締結されることを特徴とする請求項６に記載の組合せラック。
【請求項９】
前記第１の組合せ部及び前記第３の組合せ部は夫々フックであり、前記前部プレート及び前記後部プレートの下縁は各々締結溝を備え、前記２つのフックは前記２つの締結溝に締結されることを特徴とする請求項６に記載の組合せラック。
【請求項１０】
前記第２の組合せ部及び前記第４の組合せ部は夫々フックであり、前記キャリング部材の対向する２つの側部は夫々ロッドを有し、前記２つのフックは前記２つのロッドに設置されることを特徴とする請求項６に記載の組合せラック。
【請求項１１】
前記第２の組合せ部及び前記第４の組合せ部は夫々フックであり、前記キャリング部材の対向する２つの側部は夫々締結溝を有し、前記２つのフックは前記２つの締結溝に設置されることを特徴とする請求項６に記載の組合せラック。
【請求項１２】
前記第２の組合せ部と前記第４の組合せ部は、夫々支持ブロックであり、前記キャリング部材の対向する２つの側部は、前記２つの支持ブロックに設置されることを特徴とする請求項６に記載の組合せラック。
【請求項１３】
前記第２の組合せ部及び前記第４の組合せ部は、前記キャリング部材の対向する２つの側部に固定されることを特徴とする請求項６に記載の組合せラック。
【請求項１４】
２つの第１の接続アセンブリと２つの第２の接続アセンブリをさらに備え、
前記２つの第１の接続アセンブリは、各々第１の接続部材、第２の接続部材及び第１の固定部材を備え、
前記２つの第１の接続部材は、前記前部プレートの対向する２つの端部に配置され、前記２つの第２の接続部材は、夫々前記左側コンポーネント及び前記右側コンポーネントに配置され、前記２つの第２の接続部材は、夫々前記２つの第１の接続部材と移動可能に組み合わされ、前記２つの第１の固定部材は、夫々前記２つの第１の接続部材にピボットされかつ夫々前記２つの第１の接続部材と前記２つの第２の接続部材との間の相対位置を固定するように又は前記相対位置を調節可能にするように構成され、前記２つの第２の接続アセンブリは、各々第３の接続部材、第４の接続部材及び第２の固定部材を備え、前記２つの第３の接続部材は、前記後部プレートの対向する２つの端部に配置され、前記２つの第４の接続部材は、夫々前記左側コンポーネントと前記右側コンポーネントに配置され、かつ夫々前記２つの第１の接続部材と移動可能に組み合わされ、前記２つの第２の固定部材は、夫々前記２つの第２の接続部材にピボットされ、かつ前記２つの第３の接続部材と前記第４の接続部材との間の相対位置を固定し又は前記相対位置を調節可能にすることを特徴とする請求項１に記載の組合せラック。
【考案の詳細な説明】
【技術分野】
【０００１】
本開示は、ラック、特に調節可能な幅を有する組合せラックに関する。
【背景技術】
【０００２】
組合せラックの左側及び右側は、通常、そのラック自体をキャビネットから引き出し又はキャビネットへ押し込むことができるように夫々スライドレールを備える。この組合せラックは、少なくとも２つのスライドスリーブ部材、複数の側部コンポーネント（前側及び後側に備わる）、及びキャリング部材を備える。スライドスリーブ部材は、夫々２つのスライドレールの上を摺動する。スライドレールはキャビネットに配置され、スライドスリーブ部材は、通常、組合せラックの側部コンポーネントに対応する接続部とスライドレールが配置されるスライド溝とを有する。それによって、スライドスリーブ部材を、組合せラックに設置することができ、スライドレールに対して移動できることによって、組合せラックを引き出し又は押し込むことができる。
【考案の概要】
【考案が解決しようとする課題】
【０００３】
組合せラックのキャリング部材は、左側及び右側のスライドスリーブ部材に設置されるので、１つの組合せラックを、異なる収容空間を有する全てのラックに嵌めることはできない。さらに、組合せラックの幅がキャビネットと一致しない場合、キャビネットの収容空間が十分には利用されない。
【課題を解決するための手段】
【０００４】
２つのスライドレールを接続するための組合せラックは、前部プレート、後部プレート、左側コンポーネント、右側コンポーネント及びキャリングコンポーネントを備える。前部プレート、後部プレート、左側コンポーネント、右側コンポーネント及びキャリングコンポーネントは、共に収容空間を形成する。左側コンポーネントと右側コンポーネントは、夫々スライド可能に２つのスライドレール上に設置されるように構成される。キャリングコンポーネントは、キャリング部材、前部組合せ部材及び後部組合せ部材を備える。前部プレートの下縁は、後部支持構造体を備え、キャリングコンポーネントの対向する２つの側部の前部組合せ部及び後部組合せ部は、夫々前部支持構造体及び後部支持構造体に設置される。
【０００５】
本開示の組合せラックにおいて、キャリングコンポーネントが設置される支持構造体は、ここでは前部コンポーネント及び後部コンポーネントの底部に移動されている。これによって、左側コンポーネント及び右側コンポーネントは、キャリングコンポーネントと組み合わされない。その結果、左側コンポーネントと右側コンポーネントとの間の幅を調節する必要がある場合でも、組合せラックは、キャリングコンポーネントのサイズによって制限されない。換言すれば、ユーザは、左側コンポーネントと右側コンポーネントとの間の幅を簡単に調節して組合せラックの収容空間を十分に利用できる。
【図面の簡単な説明】
【０００６】
【図１】本開示の第１の実施形態における組合せラックの斜視図である。
【図２】図１の部分分解図である。
【図３】図２の前部プレート、後部プレート、左側コンポーネント及び右側コンポーネントの斜視図である。
【図４】図３の前部プレートとキャリングコンポーネントの部分平面図である。
【図５】本開示の第２の実施形態における前部プレートとキャリングコンポーネント  の部分平面図である。
【図６】本開示の第３の実施形態における前部プレートとキャリングコンポーネントの部分平面図である。
【図７】本開示の第４の実施形態における前部プレートとキャリングコンポーネントの部分平面図である。
【図８】本開示の第５の実施形態における前部プレートとキャリングコンポーネントの部分平面図である。
【考案を実施するための形態】
【０００７】
本開示は、単に説明のためであって本開示を制限しない以下の詳細な説明及びそこで示される図面によって、より完全に理解される。
【０００８】
以下の詳細な説明において、説明の目的で、多くの具体的な細部は、開示される実施形態の全体の理解を提供するために述べられる。しかしながら、１つ又は１つ以上の実施形態は、これらの具体的な細部なしで実施されてもよい。他の例では、既知の構造とデバイスは、図面を簡単にするために概略的に示される。
【０００９】
図１は本開示の第１の実施形態における組合せラックの斜視図であり、図２は図１の部分分解図であり、図３は図２の前部プレート、後部プレート、左側コンポーネント及び右側コンポーネントの斜視図であり、図４は図３の前部プレートとキャリングコンポーネントの部分平面図である。図１から図４に示されるように、本実施形態の組合せラック１０は、前部プレート１００、後部プレート２００、左側コンポーネント３００、右側コンポーネント４００及びキャリングコンポーネント５５０を備える。加えて、組合せラック１０は、２つの第１の接続アセンブリ６００及び２つの第２の接続アセンブリ７００をさらに備える。
【００１０】
前部プレート１００、後部プレート２００、左側コンポーネント３００、右側コンポーネント４００及びキャリングコンポーネント５５０は、共に収容空間を形成する。前部プレート１００及び後部プレート２００は、夫々キャリングコンポーネント５５０の対向する２つの側部に配置される。左側コンポーネント３００及び右側コンポーネント４００は、夫々キャリングコンポーネント５５０の対向する２つの側部に配置される。左側コンポーネント３００及び右側コンポーネント４００は、夫々キャビネット（図示せず）に固定されるように構成される２つのスライドレール２０にスライド可能に設置されるように構成される。それによって、組合せラック１０は、左側コンポーネント３００の延出する方向（すなわち矢印ａの方向）に沿ってスライドレール２０に対してスライドできる。
【００１１】
前部プレート１００の下縁は前部支持構造体１０１を備え、他方、後部プレート２００の下縁は後部支持構造体２０１を備える。本実施形態では、前部支持構造体１０１及び後部支持構造体２０１は、両方とも溝である。
【００１２】
キャリングコンポーネント５５０は、複数の前部組合せコンポーネント５１０と複数の後部組合せコンポーネント５２０とを備える。前部組合せコンポーネント５１０の対向する２つの側部は、各々第１の組合せ部５１１及び第２の組合せ部５１２を備える。後部組合せコンポーネント５２０の対向する２つの側部は、各々第３の組合せ部５２１及び第４の組合せ部５２２を備える。前部プレート１００及び後部プレート２００は、中空プレートでも中実プレートでもよい。さらに、他の実施形態では、前部組合せコンポーネント５１０の数及び後部組合せコンポーネント５２０の数は共に１個でもよい。他の実施形態では、前部組合せコンポーネント５１０及び後部組合せコンポーネント５２０は、前部プレート１００及び後部プレート２００に接続されてもよい。
【００１３】
本実施形態では、第１の組合せ部５１１及び第３の組合せ部５２１は、夫々ブロックである。前部支持構造体１０１と後部支持構造体２０１（すなわち２つの締結溝）は、第１の組合せ部５１１及び第３の組合せ部５２１（すなわち２つのブロック）に締結される。換言すれば、前部組合せコンポーネント５１０は、前部プレート１００の下縁の前部支持構造体１０１に配置され、他方、後部組合せコンポーネント５２０は、後部プレート２００の下縁の後部支持構造体２０１に配置される。
【００１４】
さらに、第２の組合せ部５１２及び第４の組合せ部５２２は、夫々フックである。本実施形態では、キャリング部材５００は、複数のロッドを備えるラックであり、キャリング部材５００の対向する２つの側部は、夫々ロッド５３０を備える。２つのロッド５３０は、夫々、第２の組合せ部５１２及び第４の組合せ部５２２（すなわち２つのフック）に引っ掛けられる。
【００１５】
２つの第１の接続アセンブリ６００は、各々第１の接続部材６１０、第２の接続部材６２０及び第１の固定部材６３０を備える。２つの第１の接続部材６１０は、前部プレート１００の対向する２つの端部に配置される。２つの第２の接続部材６２０は、夫々左側コンポーネント３００及び右側コンポーネント４００に配置され、夫々２つの第１の接続部材６１０と移動可能に組み合わされる。２つの第１の固定部材６３０は、夫々２つの第１の接続部材６１０にピボット（ｐｉｖｏｔ）されている。第１の固定部材６３０は、第１の接続部材６１０に対して移動でき、従って、固定（固定された）位置と調節（調節された）位置を有する。固定位置における第１の固定部材６３０は、第１の接続部材６１０と第２の接続部材６２０との間の相対位置を固定するために使用され、他方、調節位置における第１の固定部材６３０は第１の接続部材６１０と第２の接続部材６２０との間の締結接続を解除するために使用され、それによって、第１の固定部材６３０は、第１の接続部材６１０と第２の接続部材６２０との相対的な位置を調節できる。
【００１６】
２つの第２の接続アセンブリ７００は、各々第３の接続部材７１０、第４の接続部材７２０及び第２の固定部材７３０を備える。２つの第３の接続部材７１０は、夫々後部プレート２００の対向する２つの端部に配置される。２つの第３の接続部材７１０は、後部プレート２００の対向する２つの端部に配置される。２つの第４の接続部材７２０は、夫々左側コンポーネント３００と右側コンポーネント４００に配置される。２つの第４の接続部材７２０は、夫々２つの第３の接続部材７１０と移動可能に組み合わされる。２つの第２の固定部材７３０は、夫々２つの第３の接続部材７１０にピボットされている。第２の固定部材７３０は、第３の接続部材７１０に対して移動するように構成されており、固定位置と調節位置とを有する。固定位置にある第２の固定部材７３０は、第３の接続部材７１０と第４の接続部材７２０との間の相対位置を固定するために使用され、他方、調節位置にある第２の固定部材７３０は、第３の接続部材７１０と第４の接続部材７２０との間の締結接続を解除するために使用され、それによって、第２の固定部材７３０は、第１の接続部材６１０と第２の接続部材６２０との相対位置を調節することができる。それによって、左側コンポーネント３００と右側コンポーネント４００との幅が調節される。
【００１７】
本実施形態において、第１の接続アセンブリ６００及び第２の接続アセンブリ７００は、夫々、前部プレート１００及び後部プレート２００に配置されるが、本開示はこれに限定されない。他の実施形態では、第１の接続アセンブリ６００及び第２の接続アセンブリ７００は、前部プレート１００及び後部プレート２００の外側で摺動されてもよい。
【００１８】
従来、キャリングコンポーネント５５０と組み合う支持溝は、左側コンポーネント３００及び右側コンポーネント４００に配置される。比較すると、本願では、それ（キャリングコンポーネント５５０と組み合う支持溝）は前部プレート１００及び後部プレート２００の底部に移動されているため、左側コンポーネント３００及び右側コンポーネント４００は、キャリングコンポーネント５５０と組み合わされない。その結果、左側コンポーネント３００と右側コンポーネント４００との幅を調節することが必要な場合、組合せラック１０は、キャリングコンポーネント５５０のサイズによって制限されない。換言すれば、ユーザは、左側コンポーネント３００と右側コンポーネント４００との間の幅を調節して組合せラック１０の収容空間を十分に利用できる。加えて、組合せラック１０が分解された後、組合せラック１０のパッケージサイズは、組合せラック１０の梱包及び輸送費用を削減するため最小化されることができる。
【００１９】
図４において、第１の組合せ部５１１及び第３の組合せ部５２１は夫々ブロックであり、他方、前部支持構造体１０１及び後部支持構造体２０１は締結溝であるが、本開示はこれに制限されない。図５に示されているように、他の実施形態において、これらの構成は、互いに一致する締結構造体として設計されてもよい。図５は、本開示の第２の実施形態における前部プレート及びキャリングコンポーネントの部分平面図である。図５に示されるように、本実施形態は、図４の実施形態と類似しており、重要な違いのみが描かれている。加えて、前部組合せ部５１０及び後部組合せ部５２０の変更は互いに類似しているため、前部組合せ部５１０の変更のみが描かれる。
【００２０】
本実施形態では、キャリングコンポーネント５５０は、前部組合せコンポーネント５１０及び後部組合せコンポーネント５２０を備える。前部組合せコンポーネント５１０の対向する２つの側部は、夫々第１の組合せ部５１１及び第２の組合せ部５１２を備える。本実施形態では、第１の組合せ部５１１は締結溝であり、前部支持構造体１０１及び後部支持構造体２０１は両方ともブロックである。前部支持構造体１０１は、第１の組合せ部５１１と締結され、それによって、前部組合せコンポーネント５１０及び前部プレート１００は互いに組み合わされる。他の実施形態では、第１の組合せ部５１１はフックである。
【００２１】
図６は、本開示の第３の実施形態における前部プレート及びキャリングコンポーネントの部分平面図である。図６に示されるように、本実施形態は、図４の実施形態に類似しており、重要な違いのみが描かれる。加えて、前部組合せコンポーネント５１０及び後部組合せコンポーネント５２０の違いは互いに類似しているため、前部組合せコンポーネント５１０の違いのみが描かれる。
【００２２】
本実施形態では、キャリングコンポーネント５５０は、前部組合せコンポーネント５１０及び後部組合せコンポーネント５２０を備える。前部組合せコンポーネント５１０の対向する２つの側部は、夫々第１の組合せ部５１１及び第２の組合せ部５１２を備える。本実施形態では、第１の組合せ部５１１はフックであり、前部支持構造体１０１及び後部支持構造２０１は両方とも締結溝である。前部支持構造体１０１は、第１の組合せ部５１１（フック）と締結される。本実施形態では、前部組合せコンポーネント５１０の第２の組合せ部５１２は、溶接によってキャリング部材５００に固定されるが、これに限定されない。他の実施形態では、前部組合せコンポーネント５１０の第２の組合せ部５１２は、ネジ止めによってキャリング部材５００に固定されてもよい。
【００２３】
先に述べた前部組合せコンポーネント５１０及びキャリング部材５００は、一体的に形成されておらず、かつ、先に述べた後部組合せコンポーネント５２０及びキャリング部材５００は、一体的に形成されていないが、本開示はこれに限定されない。他の実施形態では、前部組合せコンポーネント５１０及び後部組合せコンポーネント５２０は、夫々キャリング部材５００の対向する２つの側部に一体的に接続されてもよい。
【００２４】
図７は、本開示の第４の実施形態における前部プレート及びキャリングコンポーネントの部分平面図である。図７に示されるように、本実施形態の組合せラック１０は、前部プレート１００、後部プレート２００、左側コンポーネント３００、右側コンポーネント４００及びキャリングコンポーネント５５０を備える。前部プレート１００、後部プレート２００、左側コンポーネント３００、右側コンポーネント４００及びキャリングコンポーネント５５０は、共に収容空間を形成する。
【００２５】
具体的には、前部プレート１００の下縁は、前部支持構造体１０１を備え、他方、後部プレート２００の下縁は、後部支持構造体２０１を備える。キャリング部材５００は、キャリング部材５００、前部組合せコンポーネント５１０及び後部組合せコンポーネント５２０を備える。キャリングコンポーネント５５０の対向する２つの側部は、夫々前部支持構造体１０１と後部支持構造体２０１に設置される。本実施形態では、前部支持構造体１０１及び後部支持構造体２０１は溝（又は締結溝）であり、キャリングコンポーネント５５０は格納ボックスである。キャリングコンポーネント５５０の前側の前部組合せコンポーネント５１０及びキャリングコンポーネント５５０の後側の後部組合せコンポーネント５２０は、前部支持構造体１０１及び後部支持構造体２０１に設置されるが、本開示はこれに制限されない。他の実施形態では、キャリングコンポーネント５５０は、プレート又はバスケットであってもよい。
【００２６】
図８は、本開示の第５の実施形態における前部プレートとキャリングコンポーネントの部分平面図である。図６のように、本実施形態は図４の実施形態に類似しており、キャリングコンポーネント５５０の構造のみが違いとして描かれている。本実施形態では、キャリングコンポーネント５５０はプレートであり、キャリング部材５００、前部組合せコンポーネント５１０及び後部組合せコンポーネント５２０を備える。キャリング部材５００の前側及び後側は、夫々前部組合せコンポーネント５１０と後部組合せコンポーネント５２０とに接続されている。前部プレート１００及び後部プレート２００の下縁は、夫々前部支持構造体１０１及び後部支持構造体２０１を備える。前部組合せコンポーネント５１０及び後部組合せコンポーネント５２０は、夫々前部支持構造体１０１及び後部支持構造体２０１に設置されるが、それらは、この構成に制限されない。他の実施形態では、前部支持構造体１０１及び後部支持構造体２０１は支持シートである。
【００２７】
さらに、後部プレートの構造は、前部プレートの構造と異なるものであってもよいが、両者は、キャリングコンポーネントが設置される底部に支持溝を有する。
【００２８】
本開示の組合せラックにおいて、キャリングコンポーネントが設置される支持構造体は、前部コンポーネント及び後部コンポーネントの底部に移動されている。これによって、左側コンポーネント及び右側コンポーネントは、キャリングコンポーネントに組み合わされない。その結果、左側コンポーネントと右側コンポーネントとの間の幅を調節する必要がある場合、組合せラックは、キャリングコンポーネントのサイズによって制限されない。換言すれば、ユーザは、左側コンポーネントと右側コンポーネントとの間の幅を簡単に調節して組合せラックの収容空間を十分に利用することができる。
【００２９】
加えて、本開示の組合せラックが分解される場合は、そのラックのパッケージサイズは、梱包及び輸送費用を削減するため最小化されることができる。
【図１】
0003194589.tif 000003
【図２】
0003194589.tif 000004
【図３】
0003194589.tif 000005
【図４】
0003194589.tif 000006
【図５】
0003194589.tif 000007
【図６】
0003194589.tif 000008
【図７】
0003194589.tif 000009
【図８】
0003194589.tif 000010
【手続補正書】
【提出日】平成26年10月1日(2014.10.1)
【手続補正１】
【補正対象書類名】実用新案登録請求の範囲
【補正対象項目名】全文
【補正方法】変更
【補正の内容】
【実用新案登録請求の範囲】
【請求項１】
前部プレート、後部プレート、左側コンポーネント、右側コンポーネント及びキャリングコンポーネントを備える、２つのスライドレールを接続するための組合せラックであって、前記前部プレート、前記後部プレート、前記左側コンポーネント、前記右側コンポーネント及び前記キャリングコンポーネントは、共に収容空間を形成し、前記左側コンポーネント及び前記右側コンポーネントは、夫々スライド可能に前記２つのスライドレールに設置されるように構成され、前記キャリングコンポーネントは、キャリング部材、前部組合せコンポーネント及び後部組合せコンポーネントを備え、前記前部プレートの下縁は前部支持構造体を備え、前記後部プレートの下縁は後部支持構造体を備え、及び前記キャリングコンポーネントの対向する２つの側部の前記前部組合せコンポーネント及び前記後部組合せコンポーネントは、夫々、前記前部支持構造体及び前記後部支持構造体に設置されることを特徴とする組合せラック。
【請求項２】
前記前部支持構造体及び前記後部支持構造体は溝であることを特徴とする請求項１に記載の組合せラック。
【請求項３】
前記前部支持構造体及び前記後部支持構造体はブロックであることを特徴とする請求項１に記載の組合せラック。
【請求項４】
前記前部支持構造体及び前記後部支持構造体はフックであることを特徴とする請求項１に記載の組合せラック。
【請求項５】
前記前部支持構造体及び前記後部支持構造体は支持シート構造体であることを特徴とする請求項１に記載の組合せラック。
【請求項６】
前記前部組合せコンポーネントの対向する２つの側部は、夫々第１の組合せ部及び第２の組合せ部を備え、前記前部プレートは前記第１の組合せ部に配置され、前記後部組合せコンポーネントの対向する２つの側部は、夫々第３の組合せ部及び第４の組合せ部を備え、前記後部プレートは前記第３の組合せ部に配置され、前記キャリング部材の対向する２つの側部は、夫々前記第２の組合せ部及び前記第４の組合せ部に設置されることを特徴とする請求項１に記載の組合せラック。
【請求項７】
前記第１の組合せ部及び前記第３の組合せ部は両方ともブロックであり、前記前部プレート及び前記後部プレートの下縁の各々は締結溝を備え、前記２つのブロックは、前記２つの締結溝に各々締結されることを特徴とする請求項６に記載の組合せラック。
【請求項８】
前記第１の組合せ部及び前記第３の組合せ部は夫々締結溝であり、前記前部プレート及び前記後部プレートの下縁は夫々ブロックを備え、前記２つのブロックは前記２つの締結溝に締結されることを特徴とする請求項６に記載の組合せラック。
【請求項９】
前記第１の組合せ部及び前記第３の組合せ部は夫々フックであり、前記前部プレート及び前記後部プレートの下縁は各々締結溝を備え、前記２つのフックは前記２つの締結溝に締結されることを特徴とする請求項６に記載の組合せラック。
【請求項１０】
前記第２の組合せ部及び前記第４の組合せ部は夫々フックであり、前記キャリング部材の対向する２つの側部は夫々ロッドを有し、前記２つのフックは前記２つのロッドに設置されることを特徴とする請求項６に記載の組合せラック。
【請求項１１】
前記第２の組合せ部及び前記第４の組合せ部は夫々フックであり、前記キャリング部材の対向する２つの側部は夫々締結溝を有し、前記２つのフックは前記２つの締結溝に設置されることを特徴とする請求項６に記載の組合せラック。
【請求項１２】
前記第２の組合せ部と前記第４の組合せ部は、夫々支持ブロックであり、前記キャリング部材の対向する２つの側部は、前記２つの支持ブロックに設置されることを特徴とする請求項６に記載の組合せラック。
【請求項１３】
前記第２の組合せ部及び前記第４の組合せ部は、前記キャリング部材の対向する２つの側部に固定されることを特徴とする請求項６に記載の組合せラック。
【請求項１４】
２つの第１の接続アセンブリと２つの第２の接続アセンブリをさらに備え、
前記２つの第１の接続アセンブリは、各々第１の接続部材、第２の接続部材及び第１の固定部材を備え、
前記２つの第１の接続部材は、前記前部プレートの対向する２つの端部に配置され、前記２つの第２の接続部材は、夫々前記左側コンポーネント及び前記右側コンポーネントに配置され、前記２つの第２の接続部材は、夫々前記２つの第１の接続部材と移動可能に組み合わされ、前記２つの第１の固定部材は、夫々前記２つの第１の接続部材にピボットされかつ夫々前記２つの第１の接続部材と前記２つの第２の接続部材との間の相対位置を固定するように又は前記相対位置を調節可能にするように構成され、前記２つの第２の接続アセンブリは、各々第３の接続部材、第４の接続部材及び第２の固定部材を備え、前記２つの第３の接続部材は、前記後部プレートの対向する２つの端部に配置され、前記２つの第４の接続部材は、夫々前記左側コンポーネントと前記右側コンポーネントに配置され、かつ夫々前記２つの第１の接続部材と移動可能に組み合わされ、前記２つの第２の固定部材は、夫々前記２つの第２の接続部材にピボットされ、かつ前記２つの第３の接続部材と前記第４の接続部材との間の相対位置を固定し又は前記相対位置を調節可能にすることを特徴とする請求項１に記載の組合せラック。